(57)【特許請求の範囲】
【請求項１】
壁に設けられた開口部を開閉するロールスクリーン装置を前記開口部に取り付けてなるロールスクリーン装置の取付構造において、
前記開口部の上辺部内周面には、前記ロールスクリーン装置のロールスクリーンを収納する収納ボックスが、当該収納ボックスの下端を前記開口部に取り付けられているサッシの上枠の下端より上方に位置するように取り付けられており、
前記開口部の側辺部内周面には、
前記ロールスクリーンの側端部が上下に移動可能に収容されるとともに、前記ロールスクリーンの下端部に取り付けられた取手の端部が上下に摺動可能に係合するガイド溝部材と、
当該ガイド溝部材における前記開口部の側辺部内周に向けた厚みとほぼ等しい厚さからなる調整材と、が互いに当接して取り付けられており、
前記調整材の前面は、前記壁の表面とほぼ面一となっていることを特徴とするロールスクリーン装置の取付構造。
【請求項２】
請求項１に記載のロールスクリーン装置の取付構造において、
前記壁に貼着された壁紙が前記開口部側に延出しており、この延出した部分が前記調整材の前面および側面に貼着されていることを特徴とするロールスクリーン装置の取付構造。
【請求項３】
請求項１または２に記載のロールスクリーン装置の取付構造において、
前記開口部の下辺部内周面に直交する壁面には、前記開口部の下辺部に沿って化粧材が取り付けられており、
前記化粧材の表面は、前記収納ボックスの前面とほぼ面一になっており、かつ、前記収納ボックスの前面と同じ色調になっていることを特徴とするロールスクリーン装置の取付構造。
【請求項４】
請求項１〜３のいずれか一項に記載のロールスクリーン装置の取付構造において、
前記収納ボックスは、
前記開口部の上辺部内周面に取り付けられ、当該収納ボックスの後面壁と上面壁とを構成する断面略Ｌ字型の第１収納ボックス片と、
前記第１収納ボックス片に着脱可能に取り付けられ、当該収納ボックスの前面壁と下面壁とを構成する断面略Ｌ字型の第２収納ボックス片と、を備えていることを特徴とするロールスクリーン装置の取付構造。
【発明の詳細な説明】
【技術分野】
【０００１】
本発明は、壁に設けられた開口部を開閉するロールスクリーン装置を前記開口部に取り付けてなるロールスクリーン装置の取付構造に関する。
【背景技術】
【０００２】
住宅の壁に設けられた開口部の窓には、日中においての遮光や、夜などにおける室内の目隠しのために、ロールスクリーン装置を取り付ける場合がある。
ロールスクリーン装置は、例えば特許文献１に示すように、ロールスクリーンと、このロールスクリーンを巻いた状態で収納する収納ボックスとを備えており、建物の壁に設けられた開口部の上にある内壁面に収納ボックスが取り付けられている。
【特許文献１】特開平７−１０２８６５号公報
【発明の開示】
【発明が解決しようとする課題】
【０００３】
上記のような従来のロールスクリーン装置の取付構造では、収納ボックスが建物の壁に設けられた開口部の上にある内壁面に取り付けられているので、該収納ボックスが内壁面から突出することになり、外観意匠上あまり好ましくないし、収納ボックスの上面に埃等が溜まり易くなる。さらに、開口部の上の壁面にエアコンの室内機を取り付ける場合、収納ボックスが邪魔になる場合もある。
また、収納ボックスから巻き出されたロールスクリーンの側端部はフリーの状態であるので、壁面や開口部の側辺部内周面との間に隙間が生じ易く、さらに、エアコンの室内機や扇風機の風等によって揺らいで、さらに前記隙間が大きくなるので、光が漏れ易いという問題もある。
【０００４】
本発明は上記事情に鑑みてなされたもので、収納ボックスを壁面から突出させることなく取り付けることができ、また、光漏れが生じ難いロールスクリーン装置の取付構造を提供することを課題としている。
【課題を解決するための手段】
【０００５】
上記課題を解決するために、請求項１に記載の発明は、例えば図１〜図４に示すように、壁１に設けられた開口部２を開閉するロールスクリーン装置６を前記開口部２に取り付けてなるロールスクリーン装置の取付構造において、
前記開口部２の上辺部内周面２ａには、前記ロールスクリーン装置６のロールスクリーン８を収納する収納ボックス７が、当該収納ボックス７の下端を前記開口部２に取り付けられているサッシ３の上枠３ａの下端より上方に位置するように取り付けられており、
前記開口部２の側辺部内周面２ｂには、
前記ロールスクリーン８の側端部が上下に移動可能に収容されるとともに、前記ロールスクリーン８の下端部に取り付けられた取手８ｂの端部が上下に摺動可能に係合するガイド溝部材１５と、
当該ガイド溝部材１５における前記開口部２の側辺部内周に向けた厚みとほぼ等しい厚さからなる調整材１６と、が互いに当接して取り付けられており、
前記調整材１６の前面１６ａは、前記壁１の表面とほぼ面一となっていることを特徴とする。
【０００６】
請求項１に記載の発明によれば、収納ボックス７が開口部２の上辺部内周面２ａに取り付けられているので、収納ボックス７を壁１から突出させることなく取り付けることができる。
また、収納ボックス７の下端が開口部２に取り付けられているサッシ３の上枠３ａの下端より上方に位置するので、収納ボックス７によって採光を妨げることもない。
【０００８】
さらに、開口部２の側辺部内周面２ｂには、ロールスクリーン８の側端部が上下に移動可能に収容されるガイド溝部材１５が取り付けられているので、このガイド溝部材１５によってロールスクリーン８の側端部と開口部２の側辺部内周面２ｂとの間に隙間が生じることがなく、また、ガイド溝部材１５に、ロールスクリーン８の下端部に取り付けられた取手８ｂの端部が上下に摺動可能に係合するので、ロールスクリーン８の側端部の風による揺らぎを抑えることができる。したがって、ロールスクリーン８の側端部からの光漏れを防止できる。
また、ガイド溝部材１５と、このガイド溝部材１５とほぼ等しい厚さの調整材１６とが互いに当接して取り付けられているので、ガイド溝部材１５が目立つことがなく、さらに、調整材１６の前面１６ａが、壁１の表面とほぼ面一となっているので、壁１の表面と調整材１６の前面１６ａとに壁紙１８を容易に貼着できる。
【０００９】
請求項２に記載の発明は、請求項１に記載のロールスクリーン装置の取付構造において、
前記壁１に貼着された壁紙１８が前記開口部２側に延出しており、この延出した部分１８ａが前記調整材１６の前面１６ａおよび側面１６ｂに貼着されていることを特徴とする。
【００１０】
請求項２に記載の発明によれば、壁紙１８の延出した部分１８ａが調整材１６の前面１６ａおよび側面１６ｂに貼着されているので、調整材１６と壁１との間の境界を隠せるとともに、壁面から調整材１６とガイド溝部材１５の境界部まで壁紙１８によって装飾できる。
【００１１】
請求項３に記載の発明は、請求項１または２に記載のロールスクリーン装置の取付構造において、
前記開口部２の下辺部内周面２ｃに直交する壁面１ａには、化粧材２１が前記開口部２の下辺部に沿って取り付けられており、
前記化粧材２１の表面２１ａは、前記収納ボックス７の前面とほぼ面一になっており、かつ、前記収納ボックス７の前面と同じ色調になっていることを特徴とすることを特徴とする。
【００１２】
請求項３に記載の発明によれば、化粧材２１の表面２１ａは、収納ボックス７の前面とほぼ面一になっており、かつ、収納ボックス７の前面と同じ色調になっているので、開口部２の上下端部に同色調の横方向に延在する帯状部を形成でき、メリハリが出て意匠性に優れたものとなる。
【００１３】
請求項４に記載の発明は、請求項１〜３のいずれか一項に記載のロールスクリーン装置の取付構造において、
前記収納ボックス７は、
前記開口部２の上辺部内周面２ａに取り付けられ、当該収納ボックス７の後面壁と上面壁とを構成する断面略Ｌ字型の第１収納ボックス片１１と、
前記第１収納ボックス片１１に着脱可能に取り付けられ、当該収納ボックス７の前面壁と下面壁とを構成する断面略Ｌ字型の第２収納ボックス片１２と、を備えていることを特徴とする。
【００１４】
請求項４に記載の発明によれば、収納ボックス７が開口部２の上辺部内周面２ａに取り付けられる第１収納ボックス片１１と、この第１収納ボックス片１１に着脱可能に取り付けられている第２収納ボックス片１２とを備えているので、第２収納ボックス片１２を第１収納ボックス片１１から取り外すことによって、ロールスクリーン８のメンテナンスや交換を容易に行える。
【発明の効果】
【００１５】
本発明によれば、ロールスクリーン装置のロールスクリーンを収納する収納ボックスが、開口部の上辺部内周面に取り付けられており、収納ボックスの下端は前記開口部に取り付けられているサッシの上枠の下端より上方に位置するので、収納ボックスを壁から突出させることなく取り付けることができるとともに、収納ボックスによって採光を妨げることもない。
また、開口部の側辺部内周面に、ロールスクリーンの側端部が上下に移動可能に収容されるガイド溝部材が取り付けられているので、このガイド溝部材によってロールスクリーンの側端部と壁との間に隙間が生じることがなく、また、ガイド溝部材を上下に摺動する取手によって、ロールスクリーンの側端部の風による揺らぎを抑えることができる。したがって、ロールスクリーンの側端部からの光漏れを防止できる。
【発明を実施するための最良の形態】
【００１６】
以下図面を参照して本発明の実施の形態について説明する。図１は本発明に係るロールスクリーン装置の取付構造を示す縦断面図、図２は同平断面図、図３は収納ボックスの端部を示す平断面図、図４はロールスクリーン装置の取付構造を示す正面図である。
【００１７】
これらの図において符号１は壁を示す。この壁１は木質の壁パネルの表面に壁下地合板２２を取り付けることによって形成されたものであり、該壁１には開口部２が設けられている。この開口部２は正面視矩形状に形成されており、その内周面のうち外側半分には図１〜図３に示すように、サッシ３を取り付けるための枠４が取り付けられている。なお、開口部２は例えば図４に示すように、壁に左右に離間して２つ設けられている。また、枠４には引違い式のサッシ３，３と、網戸５とが取り付けられている（図１参照）。
【００１８】
前記開口部２の内周面のうち内側半分の上辺部内周面２ａには、ロールスクリーン装置６の収納ボックス７が取り付けられている。
ロールスクリーン装置６は、図１および図３に示すように、収納ボックス７と、この収納ボックス７内に収納される柔軟なロールスクリーン８とを備えており、このロールスクリーン８は巻取軸８ａに巻き付けられた状態で収納ボックス７に収納されている。また、収納ボックス７にはその長手方向に延在するスリット状の開口部が設けられており、この開口部からロールスクリーン８が巻き出され、また、巻き取られるようになっている。また、ロールスクリーンの先端部には取手８ｂが取り付けられており、この取手８ｂを把持して下方に引っ張ることによって、ロールスクリーン８が巻き出されるようになっている。また、ロールスクリーン８を巻き取る場合は、取手８ｂを上方に押すとともに、巻取軸８ａに設けられた図示しないバネの力によって巻き取るようになっている。
【００１９】
前記収納ボックス７は横断面矩形中空状のものであり、その下端が前記サッシ３の上枠３ａより上方に位置するようにして、開口部２の上辺部内周面２ａに取り付けられている。つまり、収納ボックス７は、室内側から正面視した場合に、サッシ３の枠に嵌め込まれているガラス板３ｂを覆わないようにして取り付けられている。
【００２０】
また、収納ボックス７は、断面略Ｌ字型第１収納ボックス片１１と、この第１収納ボックス片１１に着脱可能に取り付けられる断面略Ｌ字型の第２収納ボックス片１２とを備えている。
第１収納ボックス片１１は、収納ボックス７の後面壁と上面壁とを構成するとともに、前記開口部２の上辺部内周面２ａに取り付けられるものであり、平板部１１ａと、Ｌ型板部１１ｂとから構成されている。
平板部１１ａは開口部２の上辺部内周面２ａにビス１３によって固定されており、下面には被係合部１１ｃが形成されている。Ｌ型板部１１ｂは、断面略Ｌ字型に形成されており、その上片部は前記平板部１１ａの下側に該平板部１１ａと平行に配置されている。Ｌ型板部１１ｂの上片部の上面には係合部１１ｄが形成されており、この係合部１１ｄは前記被係合部１１ｃに係合されている。また、Ｌ型板部１１ｂの上片部の先端部は平板部１１ａの先端部に係合され、ビス１４によって固定されている。このようにして、平板部１１ａにＬ型板部１１ｂが取り付けられている。また、Ｌ型板部１１ｂの他片部は前記枠４に形成された当接部４ａに当接されている。これによって、収納ボックス７の開口部２の軸方向における位置決めがなされている。つまり、Ｌ型板部１１ｂの他片部を当接部４ａに当接することによって、収納ボックス７の前面が壁１の表面とほぼ面一になる。
【００２１】
前記第２収納ボックス片１２は、収納ボックス７の前面壁と下面壁とを構成するものであり、その前片部の上端部には係合部１２ａが形成されており、この係合部１２ａは前記Ｌ型片部１１ｂの先端部に形成された被係合部１１ｅに係合されている。また、第２収納ボックス片１２の前片部の上端は前記平板部１１ａの先端部に係合されている。
そして、第２収納ボックス片１２は、その係合部１２ａを被係合部１１ｅに係脱可能に係合するとともに、第２収納ボックス片１２の前片部の上端を前記平板部１１ａの先端部に係脱可能に係合することによって、第１収納ボックス片１１に係脱可能に取り付けられている。
【００２２】
また、前記開口部２の側辺部内周面２ｂの内側半分には、図２に示すように、ガイド溝部材１５と、ガイド溝部材１５とほぼ等しい厚さの調整材１６とが互いに当接して取り付けられている。
ガイド溝部材１５は断面コ字型に形成された溝状のものであり、溝の開口を開口部２の内側に向けて設けられている。ガイド部材１５は開口部２の対向する側辺部内周面２ｂ，２ｂの内側半分に溝の開口を対向させて設けられている。そして、ガイド溝部材１５の溝にロールスクリーン８の側端部が上下に移動可能に収容される。
また、ロールスクリーン８の下端部には上述したように、取手８ｂが取り付けられている。この取手８ｂはロールスクリーン８の幅方向に延在するものであり、その端部はガイド溝部材１５の溝に上下に摺動自在に嵌め込まれている。
したがって、取手８ｂをガイド溝部材１５に沿って上下に摺動させることによって、ロールスクリーン８はその側端部がガイド溝部材１５に収容された状態でスムーズに収納ボックス７から巻き出し、あるいは巻き取られるようになっている。
【００２３】
前記調整材１６はガイド溝部材１５とほぼ等しい厚さの合板で形成されたものであり、この調整材１６の前面１６ａは、壁１の表面とほぼ面一となっている。
また、壁１の表面に貼着された壁紙１８は開口部２側に延出しており、この延出した部分１８ａが調整材１６の前面１６ａおよびこの前面１６ａと直交する側面１６ｂに貼着されている。また、前記ガイド溝部材１５には、見切材１９が取り付けられており、この見切材１９とガイド溝部材１５との間に、壁紙１８の延出した部分１８ａの先端が挿入されることで見切られている。
【００２４】
また、図１に示すように、前記開口部２の下辺部内周面２ｃには、化粧材２０が開口部２の下辺部に沿って取り付けられており、開口部２の下辺部内周面２ｃに直交する壁面１ａには、化粧材２１が開口部２の下辺部に沿って取り付けられている。化粧材２１の上端部と化粧材２０の先端部とは係合している。化粧材２１の表面は、前記収納ボックス７の前面とほぼ面一になっており、かつ、収納ボックス７の前面と同じ色調になっている。また、化粧材２０の表面も化粧材２１の表面と同じ色調になっている。
化粧材２０，２１や前記収納ボックス７の前面壁および下面壁を構成する第２収納ボックス片１２は、数μ程度の粒径の木粉に樹脂や顔料を混合し、押出し成形によって形成されたものであり、その表面の色調は木材の表面と同様の色調となっている。
【００２５】
上記のような構成のロールスクリーン装置の取付構造を施工する場合、まず開口部２の内周面のうち外側半分にサッシ取付用の枠４を取り付ける。次に、開口部２の上辺部内周面２ａに、収納ボックス７を構成する第１収納ボックス片１１をビス１３によって取り付け固定する。
次に、開口部２の下辺部内周面２ｃに、化粧材２０を開口部２の下辺部に沿って取り付けるとともに、開口部２の下辺部内周面２ｃに直交する壁面１ａに、化粧材２１を開口部２の下辺部に沿って取り付け、さらに、化粧材２０と化粧材２１を係合する。これによって窓台を施工する。
【００２６】
次に、開口部２の側辺部内周面２ｂの内側半分にガイド溝部材１５と、このガイド溝部材１５とほぼ等しい厚さの調整材１６とを互いに当接して取り付け、その後、ガイド溝部材１５に見切材１９を取り付ける。
次に、壁下地合板２２を壁パネルに取り付け、その後、壁紙１８を壁下地合板２２に開口部２側に延出するようにして貼着するとともに、延出した部分１８ａを調整材１６の前面１６ａおよび側面１６ｂに貼着し、さらに、延出した部分１８ａの先端を見切材１９とガイド溝部材１５との間に挿入する。
最後に、第１収納ボックス片１１に、第２収納ボックス片１２を取り付けることによって収納ボックス７を形成して終了する。
【００２７】
本実施の形態によれば、ロールスクリーン装置６の収納ボックス７が開口部２の上辺部内周面２ａに取り付けられているので、収納ボックス７を壁１から突出させることなく取り付けることができる。
また、収納ボックス７の下端が開口部２に取り付けられているサッシ３の上枠３ａの下端より上方に位置するので、収納ボックス７は、室内側から正面視した場合に、サッシ３の枠に嵌め込まれているガラス板を覆うことがなく、よって、収納ボックス７によって採光を妨げることもない。
【００２８】
また、開口部２の側辺部内周面２ｂには、ロールスクリーン８の側端部が上下に移動可能に収容されるガイド溝部材１５が取り付けられているので、このガイド溝部材１５によってロールスクリーン８の側端部と開口部２の側辺部内周面２ｂとの間に隙間が生じることがなく、さらに、ガイド溝部材１５に、ロールスクリーン８の下端部に取り付けられた取手８ｂの端部が上下に摺動可能に係合するので、ロールスクリーン８の側端部の風による揺らぎを抑えることができる。したがって、ロールスクリーン８の側端部からの光漏れを防止できる。
加えて、ガイド溝部材１５と、このガイド溝部材１５とほぼ等しい厚さの調整材１６とが互いに当接して取り付けられているので、ガイド溝部材１５が目立つことがなく、さらに、調整材１６の前面１６ａが、壁１の表面とほぼ面一となっているので、壁１の表面と調整材１６の前面１６ａとに壁紙１８を容易に貼着できる。
【００２９】
また、壁１に貼着された壁紙１８が開口部２側に延出しており、この延出した部分１８ａが前記調整材１６の前面１６ａおよび側面１６ｂに貼着されているので、調整材１６と壁１との間の境界を隠せるとともに、壁面から調整材１６とガイド溝部材１５の境界部まで壁紙１８によって装飾できる。
また、開口部２の下辺部内周面２ｃに直交する壁面１ａには、化粧材２１が開口部２の下辺部に沿って取り付けられており、この化粧材２１の表面は、収納ボックス７の前面とほぼ面一になっており、かつ、収納ボックス７の前面と同じ色調になっているので、開口部の上下端部に同色調の横方向に延在する帯状部を形成でき、メリハリが出て意匠性に優れたものとなる。
さらに、収納ボックス７が開口部２の上辺部内周面２ａに取り付けられる第１収納ボックス片１１と、この第１収納ボックス片１１に着脱可能に取り付けられている第２収納ボックス片１２とを備えているので、第２収納ボックス片１２を第１収納ボックス片１１から取り外すことによって、ロールスクリーン８のメンテナンスや交換を容易に行える。
【図面の簡単な説明】
【００３０】
【図１】本発明に係るロールスクリーン装置の取付構造の一例を示すもので、その縦断面図である。
【図２】同、平断面図である。
【図３】同、収納ボックスの端部を示す平断面図である。
【図４】同、正面図である。
【符号の説明】
【００３１】
１  壁
２  開口部
３  サッシ
３ａ  上枠
６  ロールスクリーン装置
７  収納ボックス
８  ロールスクリーン
８ｂ  取手
１１  第１収納ボックス片
１２  第２収納ボックス片
１５  ガイド溝部材
１６  調整材
１８  壁紙
１８ａ  壁紙の延出した部分
２１  化粧材
【図１】
0005199625.tif 000002
【図２】
0005199625.tif 000003
【図３】
0005199625.tif 000004
【図４】
0005199625.tif 000005